(57)【要約】【課題】照明手段の冷却を行いながら同時に下方への空気流全体の流れをスムーズな流れとする還流ファン付照明装置を提供すること。【解決手段】筒状ケース１０とファン６０と照光手段１００とを有する。筒状ケース１０は外筒部２０と内筒部４０とを有する。外筒部２０は上部開口を空気取入口２１とし、空気取入口２１中央に天井に設置した電源コネクタ５０１に接続されるコネクタ部３０を設置し、さらにその内部にファン６０を収納して構成される。内筒部４０は内部中央に照光手段１００を設置し、さらに内周面と照光手段１００の間の空間に上下方向に向かう風向板１２０を設置して構成される。外筒部２０下部の開口の内側に内筒部４０の上部を挿入した状態で両者を一体に固定することで、外筒部２０下部の開口と内筒部４０外周の間のリング状隙間Ｓ１から導入した空気を、直接ファン６０の吐出し側に供給する空気導入路７０を形成する。【選択図】図１
2010097837.tif 000002
【特許請求の範囲】
【請求項１】
筒状ケースと、前記筒状ケース内に設置されこの筒状ケースの下面に設けた開口から空気を吹き出して室内空気を還流させるファンと、前記筒状ケースに設置される室内照明用の照光手段とを有し、天井面付近に設置される還流ファン付照明装置において、
前記筒状ケースは、外筒部とこの外筒部よりも径が小さい内筒部とを有し、
前記外筒部はその上部開口を空気取入口とし、この空気取入口中央に天井に設置した電源コネクタに接続されるコネクタ部を設置し、さらにその内部に前記ファンを収納して構成され、
一方前記内筒部はその内部中央に前記照光手段を設置し、さらにその内周面と前記照光手段の間の空間に上下方向に向かう風向板を設置して構成され、
前記外筒部下部の開口の内側に内筒部の上部を挿入した状態で両者を一体に固定することで、前記外筒部下部の開口と内筒部外周の間のリング状隙間から導入した空気を、直接前記ファンの吐出し側に供給する空気導入路を形成したことを特徴とする還流ファン付照明装置。
【請求項２】
請求項１に記載の還流ファン付照明装置において、
前記ファンはこれを下から見た形状が多角形状であり、前記内筒部の上端辺上にこのファンを設置することで、ファンの各外周辺からはみ出す内筒部の開口部分を通して前記空気導入路を形成したことを特徴とする還流ファン付照明装置。
【発明の詳細な説明】
【技術分野】
【０００１】
本発明は、室内を天井から照明する照明装置に、室内空気循環用のファンを取り付けてなる還流ファン付照明装置に関するものである。
【背景技術】
【０００２】
従来、室内を天井から照明するダウンライトなどの照明装置がある。そして近年、この種の照明装置として、白熱灯や蛍光灯の代わりに、発光ダイオードを用いることが行なわれている。発光ダイオードは白熱灯や蛍光灯などに比べて消費電力が少なく、寿命も長いので、省エネルギー化が図れ、今後の照明装置として有望である。しかしながら発光ダイオードを照明装置に用いた場合、白熱灯や蛍光灯の場合ほどではないが発熱が生じ、発光ダイオードの寿命を短くしてしまう恐れがあった。
【０００３】
また従来、天井にファンを設置し、天井付近の暖められた空気を床面付近に降下させることで、室内空気を循環させる室内送風機がある。そしてこの種の室内送風機の中には、例えば特許文献１に示すように、ファンを筒状ケースで覆い、ファンによって下向きに送風される空気をあまり拡散させずになるべく直進させ、これによってファンの風量が少なくても、送風された空気を確実に床面付近まで到達させ、より効果的に室内上部と室内下部の空気の温度差を解消・均一化させるものがある。そしてこの目的を達成するためには、ファンによって生じる空気の下向き流れを筒状ケース下部の吹出し口から下方に向けてよりスムーズに吹出し、より効果的に床面付近に到達させることが必要になる。しかしながらファンによって生じる下向きの空気流は、ファンによって大きくかき乱されているので、空気流全体の流れは同一方向を向くスムーズな下向き流れではなく、したがって吹出された空気を効率よく床面付近まで到達させることができなかった。このため吹出された空気を床面付近まで到達させるには、ファンの回転速度を増大して空気の風速をより速くし、またより大きなファンモータを使用する必要も生じ、消費電力が増大し、また装置のコンパクト化が阻害されてしまう恐れもあった。
【０００４】
一方、前記照明装置に前記ファンを一体に取り付け、照明と空気の循環とを同時に行う構造のファン付照明装置がある。この種のファン付照明装置は、室内の照明と空気の循環とを兼用するので、設置場所を少なくでき、また設置作業の簡素化も図れ、さらにファンによって発光ダイオードを空冷することもでき、好適である。しかしながらファンによって発光ダイオードを空冷すると、上記したファンによる空気の乱れに加えて、ファンから送り出された空気が発光ダイオードに吹き付けられることよる空気の乱れも生じ、上記した室内送風機以上に吹出された空気をスムーズに床面付近まで到達させることができなかった。
【特許文献１】特開平１０−２６７３３４号公報
【発明の開示】
【発明が解決しようとする課題】
【０００５】
本発明は上述の点に鑑みてなされたものでありその目的は、照明手段とファンとを内蔵する還流ファン付照明装置において、照明手段の冷却を行いながら同時に下方への空気流全体の流れをスムーズな流れとすることができて、吹出された空気を効率よく床面付近まで到達させることができる還流ファン付照明装置を提供することにある。
【課題を解決するための手段】
【０００６】
本願請求項１に記載の発明は、筒状ケースと、前記筒状ケース内に設置されこの筒状ケースの下面に設けた開口から空気を吹き出して室内空気を還流させるファンと、前記筒状ケースに設置される室内照明用の照光手段とを有し、天井面付近に設置される還流ファン付照明装置において、前記筒状ケースは、外筒部とこの外筒部よりも径が小さい内筒部とを有し、前記外筒部はその上部開口を空気取入口とし、この空気取入口中央に天井に設置した電源コネクタに接続されるコネクタ部を設置し、さらにその内部に前記ファンを収納して構成され、一方前記内筒部はその内部中央に前記照光手段を設置し、さらにその内周面と前記照光手段の間の空間に上下方向に向かう風向板を設置して構成され、前記外筒部下部の開口の内側に内筒部の上部を挿入した状態で両者を一体に固定することで、前記外筒部下部の開口と内筒部外周の間のリング状隙間から導入した空気を、直接前記ファンの吐出し側に供給する空気導入路を形成したことを特徴とする還流ファン付照明装置にある。
【０００７】
本願請求項２に記載の発明は、請求項１に記載の還流ファン付照明装置において、前記ファンはこれを下から見た形状が多角形状であり、前記内筒部の上端辺上にこのファンを設置することで、ファンの各外周辺からはみ出す内筒部の開口部分を通して前記空気導入路を形成したことを特徴とする還流ファン付照明装置にある。
【発明の効果】
【０００８】
本願請求項１に記載の発明によれば、外筒部と内筒部とを用いて形成した空気導入路から導入した空気を、ファンの空気吸込口側に回すことなく、直接ファンの吐出し側に供給したので、ファンによって大きく乱された下向きの空気流の最外周を囲む部分を空気導入路から供給される乱れのほとんどない空気流で包み込むことができ、これによって内筒部内を下降する空気流全体の流れがスムーズになり、さらに内筒部内に設置した風向板によって空気流をより直線状の流れにでき、これらのことから照明手段の冷却を行いながら同時に下方への空気流全体の流れをスムーズな流れとすることができ、吹き出された空気を効率よく床面付近まで到達させることができる。
【０００９】
本願請求項２に記載の発明によれば、市販されている多角形状（多くは四角形状）のファンをそのまま用いて、内筒部の上端辺上に設置するという簡単な構成だけで、前記空気導入路を容易に形成することができる。
【発明を実施するための最良の形態】
【００１０】
以下、本発明の実施形態を図面を参照して詳細に説明する。
図１は本発明の一実施形態にかかる還流ファン付照明装置１の概略断面図、図２は側面図、図３は平面図、図４は底面図である。これらの図に示すように還流ファン付照明装置１は、外筒部２０と内筒部４０とによって筒状ケース１０を構成し、外筒部２０内にファン６０を設置すると共に外筒部２０の上部にコネクタ部３０を取り付け、内筒部４０内に照光手段１００を設置すると共に内筒部４０の内周面と照光手段１００の間の空間に上下方向に向かう４枚の風向板１２０を設置して構成されている。
【００１１】
外筒部２０は金属板や合成樹脂板を上下が開放された円筒状に形成して構成されており、その上面開口の空気取入口２１を金網などからなる網２３によって覆い、網２３の中央に天井５００（図２参照）に設置した電源コネクタ５０１（図２参照）に接続されるコネクタ部３０を取り付けている。網２３は図３に示すように、リング状の複数本の細棒部材２３ａと中央から放射状に延びる２本１組の４つの直線状の細棒部材２３ｂとを一体化して構成されており、細棒部材２３ｂの各先端部分をビス３２及び取付板３３によって外筒部２０の上端部に取り付けている。コネクタ部３０は電球と同じ形状・構造の口金であり、電源コネクタ５０１であるソケットにねじ込む構造となっている。コネクタ部３０の下部（網２３の下面側）には機器制御部３１が取り付けられている。機器制御部３１は前記コネクタ部３０から入力される例えばＡＣ１００Ｖの電源電圧をＤＣ１２Ｖに変換し、変換した電力を図示しないリード線によってファン６０と照光手段１００に供給するものである。外筒部２０の上部には円周状に等間隔に複数の円形の小孔からなる側面空気取入口２５が設けられ、また外筒部２０の側面にはファン６０の運転速度やオンオフを制御するファン操作つまみ２７が取り付けられている。ファン操作つまみ２７は前記機器制御部３１に図示しないリード線で接続され、これを操作（回転）することで機器制御部３１からファン６０に供給される電力を制御する。
【００１２】
図５は図１のＡ−Ａ断面矢視図である。同図及び図１に示すようにファン６０は、ファンケース６１の内部にプロペラ型のファン本体７１とこれを回転駆動するファンモータ７３とを内蔵して構成されている。ファンケース６１の上下は矩形状（正方形状）の平板部６３，６５となっており、ファンケース６１の上面中央には円形の空気吸込口６９が設けられ、下面中央には空気吸込口６９とほぼ同一径の円形の空気吐出口（図示せず）が設けられている。このファン６０は市販されているファンである。
【００１３】
内筒部４０は金属板や合成樹脂板を上下が開放された円筒状であって前記外筒部２０の内径よりも小さい外径に形成して構成されており、その上面開口は金網などからなる網４３によって覆われ、網４３の中央に照光手段１００を取り付けている。内筒部４０の内周面にはこの内周面と照光手段１００の間の空間に設置される上下方向に向かう４枚の風向板１２０が取り付けられている。網４３は前記網２３と同様、図４に示すように、リング状の複数の細棒部材４３ａと中央から放射状に延びる２本１組の４つの直線状の細棒部材４３ｂとを一体化して構成されている。風向板１２０は薄板平板状であり、その平面が内筒部４０の中心軸から半径方向外方及び上下方向を向き、中心軸から見て等間隔（９０°間隔）に設置されている。照光手段１００は略円柱形状のランプ駆動部１０１と、ランプ駆動部１０１の下端部に取り付けられるランプ部１１１とを具備して構成されている。ランプ部１１１はランプ駆動部１０１に対して着脱自在になっていて、付け替えることができる。ランプ部１１１の下面にはランプ部１１１内のＬＥＤ発光部によって発光された光を外部に放射する複数（３つ）の照光部１１３が設けられている。内筒部４０の上端辺４０ａ（図５参照）の等間隔の４箇所には舌片状に外方に突出する取付部４１が設けられ、これら各取付部４１と、前記網４３の各細棒部材４３ｂ先端部分と、前記ファンケース６１の４つの角部近傍部分とが、同時に、外筒部２０の内周面下端部近傍に取り付けた取付板７４上にピン７５によって一体に取り付けられている。言い換えれば、外筒部２０下部の開口の内側に内筒部４０の上部を挿入した状態で両者を一体に固定し、内筒部４０の上端辺４０ａ上にファン６０を設置している。そしてファン６０はこれを下（上）から見た外形形状が多角形状（四角形状）であり、前記内筒部４０の上端辺４０ａ上にこのファン６０を設置することで、ファン６０の各外周辺６０ａからはみ出す内筒部４０の開口部分を通して空気導入路７０を形成している。空気導入路７０は各外周辺６０ａの数と同一の４箇所に形成される。
【００１４】
以上のように構成された還流ファン付照明装置１は、図２に示すように、天井５００に設置した電源コネクタ５０１に、コネクタ部３０をねじ込むことで天井面付近に取り付けられる。そして室内または室外に設置した室内照明用のオンオフスイッチをオンすれば、コネクタ部３０を通じてＡＣ１００Ｖの電源電圧が機器制御部３１に供給され、ＤＣ１２Ｖに変換された後、ファン６０と照明手段１００とに供給され、ファン６０が駆動されると同時に照明手段１００が点灯される。照明手段１００が点灯されると、照光部１１３から下方に向けて光が照射され、室内が明るく照明される。同時にファン６０が駆動されることで、図１に矢印で示すように、筒状ケース１０（その外筒部２０の）上部の空気取入口２１と、外周側面の側面空気取入口２５とから外部の空気が吸い込まれ、ファン６０の内部を通過した後に、内筒部４０内に導入され、内筒部４０内周面と照明手段１００外周面との間の通路を通過し、その際通過する空気によって照明手段１００を冷却してその発熱を抑えながら、内筒部４０の下端面から下方に向けて吹き出される。
【００１５】
一方この還流ファン付照明装置１においては、前述のように、空気導入路７０が形成されているので、外筒部２０下部の開口と内筒部４０外周の間のリング状隙間Ｓ１から導入された空気は、ファン６０の空気吸込口６９側に回ることなく、直接ファン６０の吐出し側に、吐出によって生じる負圧によって吸い込まれ、内筒部４０内に導入される。ファン６０を通過した空気は、ファン本体７１の羽根によって大きくかき乱されて下方に押し出されるが、ファン６０の内部を通過しないでその吐出側の内筒部４０内周面近傍に吸い込まれて供給された空気は、乱れのほとんどない空気流である。このため前記乱れの大きい下向きの空気流の最外周が空気導入路７０から供給された乱れのほとんどない空気流によって囲まれることになり、これによって内筒部４０内を下降する空気流全体の流れがスムーズになる。さらに内筒部４０内に設置した風向板１２０によって空気流がより直線状の流れになる。これらのことから照明手段１００の冷却を行いながら同時に下方への空気流全体の流れをスムーズな流れとすることができ、吹き出された空気を効率よく床面付近まで到達させることができるようになる。
【００１６】
さらにこの実施形態の場合、市販されている外形形状が四角形状のファン６０をそのまま用いて、内筒部４０の上端辺４０ａ上にこのファン６０を設置するという簡単な構成だけで、空気導入路７０を形成しているので、空気導入路７０の形成が容易に行なえ、好適である。
【００１７】
また上記還流ファン付照明装置１においては、外筒部２０の上面と、内筒部４０の上面にそれぞれ網２３，４３を取り付け、これら網２３，４３を利用して、それぞれの中央にコネクタ部３０と照光手段１００とを取り付けたので、簡単な構成で容易にコネクタ部３０と照光手段１００とをそれぞれ外筒部２０と内筒部４０の中央に設置することができる。なお前記ファン操作つまみ２７を回転操作することでファン６０の回転数を調整することができる。
【００１８】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、上記実施形態ではファン６０のファンケース６１としてこれを下（上）から見た形状が四角形状のものを用いたが、３角形や、５角形以上の多角形状であってもよい。また照明手段としてはこの実施形態のように発光ダイオードを用いたものが好適であるが、場合によっては蛍光灯や白熱灯などの他の各種照光手段を用いても良い。コネクタ部３０の形状や構造も種々の変更が可能であり、たとえば差し込み式のコネクタ部などであっても良い。ファン６０の構造も種々の変更が可能であり、プロペラ式のファンの代わりに、斜流ファンなどを用いても良い。また上記実施形態では外筒部２０に側面空気取入口２５を設けたが、側面空気取入口２５は省略しても良い。
【図面の簡単な説明】
【００１９】
【図１】還流ファン付照明装置１の概略断面図である。
【図２】還流ファン付照明装置１の側面図である。
【図３】還流ファン付照明装置１の平面図である。
【図４】還流ファン付照明装置１の底面図である。
【図５】図１のＡ−Ａ断面矢視図である。
【符号の説明】
【００２０】
１  還流ファン付照明装置
１０  筒状ケース
２０  外筒部
２１  空気取入口
２５  側面空気取入口
３０  コネクタ部
３１  機器制御部
４０  内筒部
４０ａ  上端辺
６０  ファン
６０ａ  外周辺
７０  空気導入路
１００  照光手段
１２０  風向板
Ｓ１  リング状隙間
５０１  電源コネクタ
【図１】
2010097837.tif 000003
【図２】
2010097837.tif 000004
【図３】
2010097837.tif 000005
【図４】
2010097837.tif 000006
【図５】
2010097837.tif 000007